(57)【要約】【課題】この発明が解決しようとする課題は、金型の内面、外面、および成形材料を注入又は排出させる金型の貫通孔を清掃することのできる金型清掃装置を提供すること。【解決手段】成形材料を注入又は排出させることができる貫通孔を開設した一端面と開口部を有する他端面とを備えた筒形の金型を固定する金型搬送固定装置と、固定された前記金型の内面を清掃する金型内面清掃装置と、固定された前記金型の外面を清掃する金型外面清掃装置と、前記貫通孔を清掃する金型貫通孔清掃装置とを備えて成ることを特徴とする金型清掃装置。【選択図】図１
2008302632.tif 000002
【特許請求の範囲】
【請求項１】
成形材料を注入又は排出させることができる貫通孔を開設した一端面と開口部を有する他端面とを備えた筒形の金型を固定する金型搬送固定装置と、
固定された前記金型の内面を清掃する金型内面清掃装置と、
固定された前記金型の外面を清掃する金型外面清掃装置と、
前記貫通孔を清掃する金型貫通孔清掃装置とを備えて成ることを特徴とする金型清掃装置。
【請求項２】
前記金型が、前記金型搬送固定装置における金型装着部に対して位置決めをすることのできる面取り部を備えてなることを特徴とする前記請求項１に記載の金型清掃装置。
【請求項３】
前記金型内面清掃装置は、前記金型搬送固定装置に固定された金型の内面を清掃する内面清掃部材と、この内面清掃部材を金型に向かって移動させる内面清掃部材移動手段とを備えて成ることを特徴とする請求項１又は２に記載の金型清掃装置。
【請求項４】
前記金型外面清掃装置は、前記金型搬送固定装置に固定された金型の外面を清掃する外面清掃部材と、前記金型搬送固定装置に固定された金型に向かって前記外面清掃部材を移動させる外面清掃部材移動手段とを備えて成ることを特徴とする請求項１〜３のいずれか１項に記載の金型清掃装置。
【請求項５】
前記金型貫通孔清掃装置は、前記金型搬送固定装置に固定された金型における貫通孔を清掃する貫通孔清掃部材と、この貫通孔清掃部材を金型に向かって移動させる貫通孔清掃部材移動手段とを備えて成ることを特徴とする請求項１〜４のいずれか１項に記載の金型清掃装置。
【発明の詳細な説明】
【技術分野】
【０００１】
この発明は、金型清掃装置に関し、更に詳しくは、金型の内面、外面、および成形材料を注入又は排出させる金型の貫通孔を清掃することのできる金型清掃装置に関する。
【背景技術】
【０００２】
特許文献１には、「樹脂成形品を成形するための金型の清掃装置であって、前記金型の表面に平行な方向に振動するブラシ部と、前記金型のキャビティの深さ方向に振動するブラシ部とを有する清掃部材と、前記金型を清掃した後に、前記金型の清掃状態を確認する撮像手段と、成形された前記樹脂成形品を前記金型から吸引により自動的に取り出す樹脂成形品吸引手段と、を備えることを特徴とする金型の清掃装置」（特許文献１の請求項８参照）が記載されている。
【０００３】
成形を行った後の金型には、金型内に充填した成形材料が残留していることがあり、成形体の品質向上及び金型保守の観点から金型の清掃は重要である。ところで、該金型には成形材料を注入又は排出する貫通孔が設けられることがあり、金型を清掃すると共に貫通孔の清掃も行うことのできる金型清掃装置が望まれていた。
【０００４】
【特許文献１】特開２００１−３３４５３５号公報
【発明の開示】
【発明が解決しようとする課題】
【０００５】
この発明が解決しようとする課題は、金型の内面、外面、および成形材料を注入又は排出させる金型の貫通孔を清掃することのできる金型清掃装置を提供することである。
【課題を解決するための手段】
【０００６】
前記課題を解決するための手段として、
請求項１は、
成形材料を注入又は排出させることができる貫通孔を開設した一端面と開口部を有する他端面とを備えた筒形の金型を固定する金型搬送固定装置と、
固定された前記金型の内面を清掃する金型内面清掃装置と、
固定された前記金型の外面を清掃する金型外面清掃装置と、
前記貫通孔を清掃する金型貫通孔清掃装置とを備えて成ることを特徴とする金型清掃装置であり、
請求項２は、
前記金型が、前記金型搬送固定装置における金型装着部に対して位置決めをすることのできる面取り部を備えてなることを特徴とする前記請求項１に記載の金型清掃装置であり、
請求項３は、
前記金型内面清掃装置は、前記金型搬送固定装置に固定された金型の内面を清掃する内面清掃部材と、この内面清掃部材を金型に向かって移動させる内面清掃部材移動手段とを備えて成ることを特徴とする請求項１又は２に記載の金型清掃装置であり、
請求項４は、
前記金型外面清掃装置は、前記金型搬送固定装置に固定された金型の外面を清掃する外面清掃部材と、前記金型搬送固定装置に固定された金型に向かって前記外面清掃部材を移動させる外面清掃部材移動手段とを備えて成ることを特徴とする請求項１〜３のいずれか１項に記載の金型清掃装置であり、
請求項５は、
前記金型貫通孔清掃装置は、前記金型搬送固定装置に固定された金型における貫通孔を清掃する貫通孔清掃部材と、この貫通孔清掃部材を金型に向かって移動させる貫通孔清掃部材移動手段とを備えて成ることを特徴とする請求項１〜４のいずれか１項に記載の金型清掃装置である。
【発明の効果】
【０００７】
この発明によると、成形加工をするときに使用される金型であって、成形材料を注入又は排出させることができる貫通孔を開設した一端面及び他端面に開口部を有する筒形の金型の内面、外面及び貫通孔を清掃することのできる金型清掃装置を、提供することができる。
【０００８】
この発明によると、内面清掃部材の移動により金型の内面を清掃することのできる金型内面清掃装置を備えた金型清掃装置を、提供することができる。
【０００９】
この発明によると、外面清掃部材の移動により金型の外面を清掃することのできる金型外面清掃装置を備えた金型清掃装置を、提供することができる。
【００１０】
この発明によると、貫通孔清掃部材の移動により金型における貫通孔の内壁面を清掃することのできる金型貫通孔清掃装置を備えた金型清掃装置を、提供することができる。
【発明を実施するための最良の形態】
【００１１】
この発明の金型清掃装置は、金型内面清掃装置と、金型外面清掃装置と、金型貫通孔清掃装置とを備えて成る。これら三基の清掃装置は金型搬送固定装置を含んでいる。
【００１２】
金型搬送固定装置は、金型内面清掃装置に着脱自在に装着され、しかも金型内面清掃装置に装着されたときには固定的に取り付けられた状態になり、また、金型外面清掃装置に着脱自在に装着され、しかも金型外面清掃装置に装着されたときには固定的に取り付けられた状態になり、また、金型貫通孔清掃装置に着脱自在に装着され、しかも金型貫通孔清掃装置に装着されたときには固定的に取り付けられた状態になる。金型搬送固定装置は、金型内面清掃装置、金型外面清掃装置及び金型貫通孔清掃装置それぞれに共通して使用されることができる。換言すると、金型内面清掃装置に取り付けられている金型搬送固定装置をその金型内面清掃装置から取り外して、金型外面清掃装置に装着し、金型外面清掃装置における清掃が終了後にその金型外面清掃装置から金型搬送固定装置を取り外して金型貫通孔清掃装置に装着するように、１基の金型搬送固定装置を、金型内面清掃装置と、金型外面清掃装置と、金型貫通孔清掃装置とにおける共通乃至共用の装置とすることができる。
【００１３】
また、前記金型内面清掃装置は、内面清掃部材と内面清掃部材移動手段とを備え、前記金型外面清掃装置は、外面清掃部材と外面清掃部材移動手段とを備え、更に、前記金型貫通孔清掃装置は、貫通孔清掃部材と貫通孔清掃部材移動手段とを備えている。前記金型内面清掃装置、前記金型外面清掃装置及び前記金型貫通孔清掃装置についての詳細は後述する。
【００１４】
前記金型搬送固定装置は、金型内面清掃装置、金型外面清掃装置及び金型貫通孔清掃装置それぞれに正確な位置決めをもって取り付けられる。
【００１５】
この金型搬送固定装置が金型内面清掃装置に取り付けられる位置は、内面清掃部材を移動させると金型の内面が内面清掃部材で清掃されるように決定され、特に内面清掃部材がブラシを有している場合にはそのブラシが筒形の金型の内部に挿入されるように決定される。なお、内面清掃部材が移動する方向は上下方向のいずれであっても、また横方向であってもよい。
【００１６】
この金型搬送固定装置が金型外面清掃装置に取り付けられる位置は、外面清掃部材を移動させると金型の外面が外面清掃部材で清掃されるように決定され、特に外面清掃部材がブラシを有している場合にはそのブラシが金型における外面を摺擦するように決定される。外面清掃部材の移動方向は、上下方向のいずれであっても、また横方向であってもよい。
【００１７】
この金型搬送固定装置が金型貫通孔清掃装置に取り付けられる位置は、貫通孔清掃部材を移動させると金型における貫通孔が貫通孔清掃部材で清掃されるように決定され、特に貫通孔清掃部材がピン等の棒状物であるときにはその棒状物が貫通孔に挿入されるように決定される。貫通孔清掃部材の移動方向は、上下方向のいずれであっても、また横方向であってもよい。
【００１８】
ここで、この発明の金型清掃装置に用いることのできる金型は、成形材料を注入又は排出させることができるように外部と内部とを連通する貫通孔を有する一端面と開口部を有する他端面とを有する筒形である。換言すると、この金型は、貫通孔を有する有底円筒体と称することもできる。この金型は、両端を開口する筒形を有する第２の金型と組み合わされることができる。つまり、その第２の金型の一端開口部及び他端開口部にそれぞれ前記金型を取り付けることにより、一つの成形体例えば弾性ローラを形成することのできる組合せ金型が、形成される。この発明における金型は、たとえば弾性ローラを形成するための組み合わせ金型を形成する金型として好適である。
【００１９】
前記組合せ金型における２個の金型としては、例えば射出成形で用いられる、液状ゴム組成物等の成形材料を注入することのできる貫通孔、すなわちスプルーを設けた一端部金型、及び液状ゴム組成物等の成形材料を排出することのできる貫通孔、すなわちベントを設けた他端部金型等を好適例として挙げることができる。
【００２０】
前記金型搬送固定装置は、この金型搬送固定装置の所定位置に金型を着脱できるように固定する限り、様々の構造を採用することができる。金型を金型搬送固定装置に着脱できるように固定する位置は、この金型搬送固定装置を金型内面清掃装置における所定の位置に固定した場合に、内面清掃部材を金型に向かって移動させると内面清掃部材におけるたとえばブラシが金型の筒形の内面を摺擦することができるように、また、この金型搬送固定装置を金型外面清掃装置における所定の位置に固定した場合に、外面清掃部材を金型に向かって移動させると外面清掃部材におけるたとえばブラシが金型の端部外面及び周面からなる外面を摺擦することができるように、更に、この金型搬送固定装置を金型貫通孔清掃装置における所定の位置に固定した場合に、貫通孔清掃部材を金型に向って移動させると貫通孔清掃部材におけるたとえば棒状部材が金型の貫通孔に挿入されることができるように、適宜に決定される。
【００２１】
金型内面清掃装置に備えられている内面清掃部材は、金型搬送固定装置に固定された金型におけるその内面を清掃する。
【００２２】
内面清掃部材としては、固定された金型の内面を清掃できる限り種々の部材を採用することができ、例えばブラシ、スポンジ、布帛、スクレーパ等の摺擦部材を採用することができる。
【００２３】
内面清掃部材移動手段は、金型と内面清掃部材とが接近するように内面清掃部材を移動させる。この移動は、金型を固定する金型搬送固定装置に向う内面清掃部材の移動、及び内面清掃部材に向う金型搬送固定装置の移動のいずれであっても良い。
【００２４】
金型外面清掃装置に備えられている外面清掃部材は、金型搬送固定装置に固定された金型の外面を清掃することができる。金型の外面として、金型の端面及び周側面を挙げることができる。
【００２５】
外面清掃部材としては、固定された金型の外面を清掃することができる限り種々の部材を採用することができ、例えばブラシ、スポンジ、布帛、スクレーパ等の摺擦部材を採用することができる。
【００２６】
外面清掃部材移動手段は、金型と外面清掃部材とが接近するように外面清掃部材を移動させる。この移動は、金型を固定する金型搬送固定装置に向う外面清掃部材の移動、及び外面清掃部材に向う金型搬送固定装置の移動のいずれであっても良い。
【００２７】
前記内面清掃部材及び前記外面清掃部材における摺擦部材として、例えばブラシを用いる場合には、ブラシの毛部分が例えばナイロン（デュポン社の商標名）、ポリプロピレン、ポリエチレン又はポリエチレンテレフタレート等を含有して成るブラシを用いることができ、また、スクレーパを用いる場合には、例えばポリプロピレン等を含有して成るスクレーパを採用することができる。ブラシの毛部分の形状としては、金型の内面又は外面を清浄することができる限り特に制限はないが、一例として、直径０．８〜２ｍｍの円筒状に毛が切り揃えられたブラシ等が挙げられる。
【００２８】
金型貫通孔清掃装置に備えられている貫通孔清掃部材は、成形材料の一部が付着することの多い、金型に設けられるところの貫通孔内、例えば前記スプルー内及び前記ベント内を清掃する。
【００２９】
前記貫通孔清掃部材としては、金型の前記スプルー及び前記ベントを挿通することのできる形状が好ましく、例えば貫通孔内に残留する成形材料固化物を押出す棒状体、例えばピン等を採用することができる。また、前記棒状体は、例えば金属製、木製、合成樹脂製であってもよく、金属の芯棒の外周面を合成樹脂、ゴム等で被覆してなる複合部材であってもよい。
【００３０】
貫通孔清掃部材移動手段は、金型の貫通孔内を清掃することができるように金型に対して貫通孔清掃部材を移動させる。この移動は、金型を固定する金型搬送固定装置に向う貫通孔清掃部材の移動、及び貫通孔清掃部材に向う金型搬送固定装置の移動のいずれであっても良い。
【００３１】
以下に、この発明の金型清掃装置の一実施例を、図面を用いて、説明する。以下の実施例の説明では、金型に設けられるスプルー及びベントを総じて貫通孔と称することがある。
【００３２】
この発明の一例である金型清掃装置は、図１に示される金型内面清掃装置１ａと、図２に示される金型外面清掃装置１ｂと、図３に示される金型貫通孔清掃装置１ｃとを有する。
【００３３】
図１及び図４に示されるように、この金型清掃装置により好適に清掃される金型２は、略円筒形をした内周面及び端部開口を有する筒状部３と、この筒状部３の上部に形成されるとともに、位置決め用に形成された一対の面取り部４を有する。また、この金型２は、その端面に例えばスプルーとなり、又はベントとなる貫通孔５を有する。
【００３４】
図１に示されるように、金型内面清掃装置１ａは、金型２の内面を清掃する内面清掃部材６を備える。この内面清掃部材６は、金型内面清掃装置１ａ全体を支持する４脚の足部７に支持された底板８に取り付けられた駆動部９と、この駆動部９内に装備されている駆動源例えばモータ（図示せず。）等により回転するように駆動される４本の回転支持軸１０と、これら４本の回転支持軸１０それぞれの先端部に装着されたブラシ部１１とを備える。図１に示される前記底板８には、４個の挿通孔１２が開設されている。前記駆動部９は前記底板８の下面に装着されている。その駆動部９内では、前記モータの回転軸と４本の回転支持軸１０とが、回転支持軸１０等の適宜の回転力伝達部材に装着される従動プーリ１３、前記モータの回転軸に装着された駆動プーリ（図示せず。）、前記従動プーリ１３と前記駆動プーリとに掛け渡されたベルト１４、及び、従動プーリ１３と他の従動プーリ１３とに掛け渡されたベルト１４により、モータ等の駆動源の回転力を回転支持軸１０に伝達できるように結合される。換言すると、前記モータの回転軸が回転すると、駆動プーリ及び２個の従動プーリ１３に掛け渡したベルト１４により４本並んだ回転支持軸１０のうちの中間にある２本の回転支持軸１０が回転し、これら回転する２本の回転支持軸１０それぞれに装着された従動プーリ１３と他の回転支持軸１０における従動プーリ１３とに掛け渡されたベルト１４の回動により残る２本の回転支持軸１０が回転する。図１に示される金型清掃装置１ａにおいては、４本の回転支持軸１０が同じ回転方向に回転することができるように、駆動部９内が形成される。
【００３５】
前記底板８に開設された４個の挿通孔１２には、回転支持軸１０が挿通され、回転支持軸１０におけるブラシ部１１が、前記底板８の上面上方に位置する。これら４個の挿通孔１２は、４個の金型２を同時に洗浄するためにこれら４個の金型２を配置する必要から、等間隔に開設される。ブラシ部１１は、前記回転支持軸１０の先端部に設けられた基部に植設されたブラシ１５を有する。このブラシ１５の全体形状は、金型２の内周面を清掃することができるように、金型２の内周面の形状に沿った形状となるように、毛先が切り揃えられている。例えば、金型２の内周面の形状が円筒形の内周面と同等である場合には、ブラシ１５の全体形状が円筒形となるように、ブラシ１５の毛先が切り揃えられている。
【００３６】
図１に示されるように、金型内面清掃装置１ａは、金型載置台１６と、この金型載置台１６を上下動させることのできる上下動部材１７と、４個の金型２を取り付けた状態のままで前記金型載置台１６に着脱できる金型搬送固定装置１８とを備える。この上下動部材１７は、この発明の金型清掃装置における内面清掃部材移動手段の一例である。
【００３７】
前記金型載置台１６は、底板８から更に延在立設する４本の前記足部７の先端部が前記金型載置台１６の底面に結合されることにより、これら４本の前記足部７により水平に支持される。これら４本の足部７それぞれには、前記底板８と金型載置台１６との間に、付勢部材１９、例えばコイルスプリングが介装されていて、この付勢部材１９の付勢力により前記金型載置台１６が上方に付勢されている。なお、この金型載置台１６には、前記付勢部材１９により前記足部７から飛び出してしまわないように、金型載置台１６が底板８から所定距離の位置に留める係止部材（図示せず。）が、設けられる。この金型載置台１６には、その長手方向における両端部に操作把手２０が取り付けられている。したがって、図１に示される金型内面清掃装置１ａにおける操作把手２０に手をかけて下方に力を加えると、この金型載置台１６は、前記付勢部材１９の付勢力に抗して、下方に向って、つまり底板８に向って下降することができるようになっている。なお、図１では前記付勢部材１９の取り付けられる部位が、金型載置台１６の下面と底板８の上面とに、付勢部材装着部２１として設けられている。
【００３８】
このように上下動部材１７は、足部７とその外周に装着された付勢部材１９とで形成される。
【００３９】
この金型載置台１６には４個の貫通開口部２２が、この金型載置台１６の長手方向、換言すると図１における左右方向に沿って一列に配列されるように、開口した状態に形成されている。貫通開口部２２の開口直径は、前記ブラシ１５が通り抜けることができると共に、金型載置台１６上にある金型２が、この貫通開口部２２を通り抜けて落下しないように、適宜に決定される。
【００４０】
この金型載置台１６は、その上面に、金型搬送固定装置１８を載置する際の金型搬送固定装置１８の長手方向における位置決めをする長手方向位置決め部２３を、有し、また、金型搬送固定装置１８の短手方向における位置決めをする短手方向位置決め部（図示せず。）を有する。
【００４１】
この金型載置台１６の上面には、金型搬送固定装置１８が、配置される。この金型搬送固定装置１８はこの発明における金型搬送固定装置の一例である。
【００４２】
図５に示されるように、この金型搬送固定装置１８は、４個の金型装着部２４を備えて成るトレイ２５と、一対の把手２６とを有する。
【００４３】
これら４個の金型装着部１８はいずれも同じ構造を有する。このトレイ２５を上から見ると、各金型装着部２４は略長方形の開口部を有し、このトレイ２５の正面部に略長方形の開口部を有する。
【００４４】
図５に示されるトレイ２５は、金型載置台１６の上面に載置すると、金型載置台１６に開口する貫通開口部２２に対応する位置に、下部開口部２７（図１参照）が開設されている。図１に示される金型内面清掃装置１ａにおいては、下部開口部２７の数は４個である。この下部開口部２７は、この金型搬送固定装置１８を金型載置台１６から分離して別の場所に移送する場合に下部開口部２７から金型が離脱してしまわないように、金型係止部２８が設けられる。
【００４５】
更に、このトレイ２５には、金型搬送固定装置１８を金型載置台１６の上面に載置する場合に、金型載置台１６の上面に設けられた短手方向位置決め部、例えばピン等を挿入配置することができるように形成された一対の切欠部２９が設けられる。この切欠部２９に、例えばピン等の短手方向位置決め部が挿入されるように、トレイ２５を移動させることにより、金型搬送固定装置１８における金型載置台１６上での、短手方向位置決めが行われる。
【００４６】
図５（ｂ）に示されるように、この態様におけるトレイ２５の高さは、金型２における一端から他端までの軸線長さに等しいように設計されているが、このトレイ２５の高さは、金型２を装着することができる限りその高さに制限はない。設計変更として、このトレイ２５の高さが、図５（ｂ）に示すよりも低く、例えばトレイ２５の高さを半分程度又はそれ以下に設計した場合であっても、金型装着部２４に金型２を装着することができる限り、かつ金型２を清掃している途中で金型２がブラシと共に回転する状態、及び金型２が脱離する状態を防ぐことができる限り、そのような設計変更をすることができる。
【００４７】
図１に示される金型内面清掃装置１ａは以下のように作用する。
【００４８】
先ず、金型搬送固定装置１８における４個の金型装着部２４それぞれに金型２を装着する。このとき、金型２における面取り部４が金型装着部２４における相対向する縁辺部に接触する。更に金型２を水平にこの金型装着部２４内に推し進めると、前記面取り部１９が位置決め作用を発揮する。この位置決め作用によって、金型装着部２４に装着された金型２における貫通孔５の位置が所定の位置に決定される。
【００４９】
次いで操作者が、４個の金型２を金型装着部２４に配設した金型搬送固定装置１８における把手２６を持ってこの金型搬送固定装置１８を金型載置台１６上に載置する。このとき、金型載置台１６の上面に設けられた長手方向位置決め部２３に、トレイ２５の側面部をあてがいつつトレイ２５を金型載置台１６の短手方向に押し進める。その後更に、トレイ２５における切欠部２９内に金型載置台１６上の短手方向位置決め部、例えばピン等が挿入されてこのピンにより移動不可となるまでトレイ２５を押し進める。こうして、金型載置台１６上に、金型搬送固定装置１８を配設する。この金型載置台１６上に配設された金型搬送固定装置１８においては、トレイ２５が長手方向位置決め部２３及び短手方向位置決め部（図示せず。）によって、長手方向及び短手方向のいずれにもがたつきなく、固定される。なお、この金型載置台１６には図示しない固定装置が設けられていて、この固定装置により金型載置台１６上に配設された金型搬送固定装置１８が下方からの力を受けてもがたつき又は移動が生じない構成となっている。固定装置につき図示していないが、金型載置台１６上に載置された金型搬送固定装置１８が上下方向にガタつかないようにこれを固定することができる限り、様々の手段を採用し、また公知の手段を採用することができる。
【００５０】
次に、図１に示されるように、例えば適宜の電源を投入することにより、モータ等の駆動源を駆動し、その駆動源の駆動によって４本の回転支持軸１０を同じ方向に回転させて、回転支持軸１０に連動して成るブラシ１５を回転させる。
【００５１】
次に、金型載置台１６の長手方向に直交する方向に形成されている縁辺部に設けられた操作把手２０を、操作者が、付勢部材１９の付勢力に抗して押し下げることにより、金型載置台１６が下方に移動し、回転するブラシ１５が、貫通開口部２２を通り抜け、金型２の円筒形をした内部空間内に至る。回転するブラシ１５が、金型固定装置１１で固定されている金型１２の内周面を、摺擦する。この摺擦により、金型２の内部内周面に付着する成形材料固化物等の付着物が除去される。
【００５２】
図２に示される金型外面清掃装置１ｂは、前記金型内面清掃装置１ａとは別体である。
【００５３】
図２に示されるように、この金型外面清掃装置１ｂは、前記金型内面清掃装置１ａにおけるのと同様の４脚の足部７と、これら４脚の足部７により支持される底板３０とを有する。この底板３０は、前記金型内面清掃装置１ａにおける底板８が有する挿通孔１２を備えていない点において、前記底板８と相違する。また、この底板３０が前記底板８と相違する点は、この底板３０の上面に、前記金型搬送固定装置１８におけるトレイ２５の長手方向における位置決めをする長手方向位置決め部３１と、前記トレイ２５の短手方向における位置決めをする短手方向位置決め部（図示せず。）例えばピン等とを備えることである。
【００５４】
前記底板３０の上面に載置される金型搬送固定装置１８は、前記金型内面清掃装置１ａにおける金型搬送固定装置１８と同じである。よってその詳細な説明を省略する。
【００５５】
この金型外面清掃装置１ｂは、駆動部搭載台３２を備える。この駆動部搭載台３２は、前記金型載置台１６と同様に、底板３０から更に延長立設する４本の前記足部７の先端部が前記駆動部搭載台３２の底面に結合されることにより、これら４本の前記足部７により水平に支持される。これら４本の足部７それぞれには、前記底板３０と駆動部搭載台３２との間に、付勢部材１９たとえばコイルスプリングが介装されていて、この付勢部材１９の付勢力により前記駆動部搭載台３２が上方に付勢されている。なお、この駆動部搭載台３２には、前記付勢部材１９により前記足部７から飛び出してしまわないように、駆動部搭載台３２が底板３０から所定距離の位置に留める係止部材（図示せず。）が、設けられる。この駆動部搭載台３２には、その長手方向における両端部に操作把手２０が取り付けられている。したがって、これらの操作把手２０に手をかけて下方に力を加えると、この駆動部搭載台３２は、前記付勢部材１９の付勢力に抗して、下方に向って、つまり底板３０に向って下降することができるようになっている。なお、図２において、２１で示すのは、駆動部搭載台３２の下面に設けられた付勢部材装着部及び底板３０の上面に設けられた付勢部材装着部である。この金型外面清掃装置１ｂにおける外面清掃部材移動手段は、足部７とその外周に装着された付勢部材１９とで形成される。
【００５６】
この駆動部搭載台３２には、４個の挿通孔３３が開設されている。各挿通孔３３は、前記底板３０に前記金型搬送固定装置１８を載置固定した場合に、その金型搬送固定装置１８に取り付けられている金型２の中心軸線と同じ中心軸線を有するように、開口し、しかも４個の挿通孔３３が一列に開設される。
【００５７】
駆動部搭載台３２には、外面清掃部材３４が搭載される。この外面清掃部材３４は、金型外面清掃装置１ｂ全体を支持する４脚の足部７に支持された駆動部搭載台３２の上面に取り付けられた駆動部９と、この駆動部９内に装備されている駆動源例えばモータ（図示せず。）により駆動される４本の回転支持軸５と、これら４本の回転支持軸５それぞれの先端部に装着されたブラシ部１５とを備える。前記駆動部９は、駆動部搭載台３２の上面に取り付けられていること以外は、前記金型内面清掃装置１ａにおける底板７の下面に取り付けられた駆動部９と同様の機械的構造を有する。付言すると、前記駆動部搭載台３２の上面に装着されている駆動部９内では、駆動源たとえばモータの回転軸と４本の回転支持軸１０とが、適宜の回転力伝達手段たとえば回転支持軸１０に装着された従動プーリ１３、前記モータの回転軸に装着された駆動プーリ（図示せず。）、前記従動プーリ１３と前記駆動プーリとに掛け渡されたベルト１４、及び、従動プーリ１３と他の従動プーリ１３とに掛け渡されたベルト１４により、モータ等の駆動源の回転力を回転支持軸１０に伝達できるように結合される。換言すると、前記モータの回転軸が回転すると、４本の回転支持軸５が同じ回転方向に回転することができるように、駆動部９内が形成される。なお、これら回転支持軸１０の中心軸は、挿通孔３３の中心軸と一致するように、配置されている。
【００５８】
前記ブラシ部１１は、前記回転支持軸１０の先端部に設けられた基部に植設されたブラシ１５を有する。このブラシ１５は、金型２の外面を清掃する必要性に基づいて、金型２の外面を摺擦することができるようにブラシ１５の先端が切り揃えられている。
【００５９】
図２に示される金型外面清掃装置１ｂは、以下のように作用する。
【００６０】
先ず、上述のようにして金型搬送固定装置１８に金型２を固定し、底板３０に金型搬送固定装置１８を取り付ける。取り付けの際、底板３０の上面に長手方向位置決め部３１と図示しない短手方向位置決め部とが設けられているので、金型２の中心軸線と回転支持軸１０の中心軸線とが一致するように、底板３０上に金型搬送固定装置１８が取り付けられる。
【００６１】
次いで、駆動部９内に配設される駆動源たとえばモータを駆動することにより、４本の回転支持軸１０を同じ方向に回転させる。次に、駆動部搭載台３２の長手方向に直交する方向に形成されている縁辺部に設けられた操作把手２０を、操作者が付勢部材１９の付勢力に抗して押し下げることにより、駆動部搭載台３２が下方に移動し、回転するブラシ１５を、金型２の外面に摺擦させる。この摺擦により、金型２の外面に付着する成形材料固化物等の付着物が除去される。
【００６２】
図２に示される金型外面清掃装置１ｂによると、金型２における貫通孔５たとえばスプルー又はベントの周辺に付着する成形材料固化物等の付着物が除去されるので、この金型外面清掃装置１ｂは、貫通孔５の周辺に付着する成形材料固化物等の付着物除去という目的をよく達成することができ、換言すると、金型の外面清掃という目的を達成することができる。
【００６３】
なお、図２においては、金型２の周側面がトレイ２５で覆われるように、金型２がトレイ２５に装着されているが、設計変更としてトレイ２５の高さを金型２の一端から他端までの軸線長さよりも短くしておくと、前記ブラシの回転により金型２の端面及び周側面つまり金型の外面を清掃することができる。また、図２におけるブラシ１５の代わりに、金型２の周側面及び端面を摺擦することができるように、ブラシの毛並みを揃えておくこともできる。
【００６４】
図３に示される金型貫通孔清掃装置１ｃは、前記金型内面清掃装置１ａ及び前記金型外面清掃装置１ｂとは別体である。
【００６５】
この金型貫通孔清掃装置１ｃは、金型２における貫通孔５に残留する成形材料固化物を除去する装置である。
【００６６】
図３に示されるように、この金型貫通孔清掃装置１ｃは、前記金型内面清掃装置１ａ及び金型外面清掃装置１ｂと同様の４脚の足部７と、これら４脚の足部７により支持される底板３０とを有する。この底板３０は、前記金型外面清掃装置１ｂにおける底板３０と同じ構造を有する。図３に示されるように、この底板３０の上面には、長手方向位置決め部３１及び短手方向位置決め部（図示せず）が、取り付けられている。この長手方向位置決め部３１及び短手方向位置決め部は、前記金型外面清掃装置１ｂにおけるこの長手方向位置決め部３１及び短手方向位置決め部と同様である。
【００６７】
図３に示されるように、この金型貫通孔清掃装置１ｃは、載置台３６を有する。この載置台３６は、金型外面清掃装置１ｂにおける駆動部搭載台３２と同じ構造を有する。したがって、この金型貫通孔清掃装置１ｃは、駆動部搭載台３２を載置台３６に転用して組立てられることができる。載置台３６には、４個の挿通孔３３が一列に開設されている。この各挿通孔３３の中心軸線と金型搬送固定装置１８に固定された金型２の中心軸線とが一致するように、各挿通孔３３が開設される。
【００６８】
図３に示されるように、前記載置台３６には貫通孔清掃部材３７が取り付けられている。この貫通孔清掃部材３７は、基板３８と差込みピン３９とを備える。前記基板３８は、平らな板であり、載置台３６の上面に固定的に結合されている。前記基板３８の下面には、差込みピン３９が、水平な基板３８に対して真っ直ぐに下方に向うように、設けられている。差込みピン３９は、前記貫通孔５を挿通して、下方に向う。各貫通孔５には、図３に示す態様においては、４本の差込みピン３９が挿通されている。貫通孔５を挿通する４本の差込みピン３９の載置台３６に対する取付け位置は、底板３０の上面に載置固定された金型搬送固定装置１８に搭載されている金型２における貫通孔５の軸線と前記差込みピン３９の軸線とが一致するように、各差込みピン３９が基板３８に取り付けられる。
【００６９】
なお、図３では、基板３８の下面に差込みピン３９を植設する態様が示されているが、差込みピン３９が下降して、下方に配置された金型２における貫通孔５に差込みピン３９が挿通される限り様々の態様又は仕組みを採用することができる。貫通孔清掃部材の他の態様として、基板に挿通孔を設けることなく、該基板の下面に設けられる差込みピンを挙げることができる。
【００７０】
なお、図３において、２１で示すのは付勢部材装着部であり、１９で示すのはコイルスプリング等の付勢部材である。この金型貫通孔清掃装置１ｃにおける貫通孔清掃部材移動手段は、足部７とその外周に装着された付勢部材１９とで形成されることができる。
【００７１】
図３に示す金型貫通孔清掃装置１ｃは、以下のように作用する。すなわち、先ず、金型内面清掃装置１ａの説明において上述したのと同様にして、金型搬送固定装置１８に金型２を固定し、金型２を搭載した金型搬送固定装置１８を底板３０の上に載置固定する。この場合、底板３０の上面には長手方向位置決め部３１及び短手方向位置決め部（図示せず。）が形成されているので、所定の位置に金型搬送固定装置１８を固定し、これを底板３１の上に搭載することができる。次に、操作把手２０に力を加えて載置台３６を、付勢部材１９の付勢力に抗しつつ下降させる。下降に伴って差込みピン３９が、金型２における貫通孔５内に、挿入される。差込みピン３９が貫通孔５内に挿入されると、貫通孔５内に付着していた成形材料固化物が差込みピン３９により貫通孔５から押出される。これによって、金型２における貫通孔５たとえばスプルー又はベントから成形材料固化物が除去されて清掃されることになる。
【００７２】
以上の説明においては、以下の手順で金型を清掃している。
（１）先ず、金型内面清掃装置１ａにて金型２の内周面に付着する成形材料固化物を除去する清掃操作を行う。
（２）次いで、金型内面清掃装置１ａに搭載されている金型搬送固定装置１８を金型外面清掃装置１ｂに移し替え、これによって金型搬送固定装置１８を搭載する金型外面清掃装置１ｂにて金型の外面に付着する成形材料固化物を除去する清掃操作を行う。
（３）最後に、金型外面清掃装置１ｂに搭載されている金型搬送固定装置１８を金型貫通孔清掃装置１ｃに移し替え、これによって金型搬送固定装置１８を搭載する金型貫通孔清掃装置１ｃにて、金型２における貫通孔５に付着している成形材料固化物を除去する清掃操作を行う。
【００７３】
上記（１）〜（３）の清掃操作の後に得られる金型２は、必要に応じて、水による洗浄、洗剤を有する洗浄液による洗浄等が行われ、最終的に金型２を乾燥することにより、次に控える成形加工操作に使用される金型として保存される。
【００７４】
前記金型内面清掃装置、金型外面清掃装置及び金型貫通孔清掃装置のいずれを先に使用して金型を清掃するかは、任意である。
【００７５】
以上、この発明の一例であるところの、金型内面清掃装置、金型外面清掃装置及び金型貫通孔清掃装置を組み合わせてなる金型清掃装置について説明したが、金型清掃装置は、これら金型内面清掃装置、金型外面清掃装置及び金型貫通孔清掃装置が一体化されて成る構造を有することもできる。
【００７６】
また、図１〜３に示される形態の金型清掃装置は、４個の金型を一挙に清掃する清掃装置であるが、一度に処理する所望の数の金型に応じて清掃装置を設計することができる。
【００７７】
また、図１〜３に示されるこの発明の金型清掃装置の一例では、金型を清掃する際に、操作者が手動で金型載置台を押し下げて清掃を行っているが、例えば金型載置台の変位を設定することのできる制御部を設けて自動で金型を清掃する構成が採用されてもよい。
【図面の簡単な説明】
【００７８】
【図１】図１は、この発明の一例である金型清掃装置の内面清掃装置を示す断面図である。
【図２】図２は、この発明の一例である金型清掃装置の外面清掃装置を示す断面図である。
【図３】図３は、この発明の一例である金型清掃装置の金型貫通孔清掃装置を示す断面図である。
【図４】図４は、この発明の一例である金型清掃装置の金型搬送固定装置を示す斜視図である。
【図５】図５は、この発明の一例である金型清掃装置に使用される金型搬送固定装置を示す説明図であり、図５（ａ）は金型搬送固定装置を示す平面図であり、図５（ｂ）は金型搬送固定装置を示す断面図である。
【符号の説明】
【００７９】
１ａ    金型内面清掃装置
１ｂ    金型外面清掃装置
１ｃ    金型貫通孔清掃装置
２      金型
３      筒状部
４      面取り部
５      貫通孔
６      内面清掃部材
７      足部
８      底板
９      駆動部
１０    回転支持軸
１１    ブラシ部
１２    挿通孔
１３    従動プーリ
１４    ベルト
１５    ブラシ
１６    金型載置台
１７    上下動部材
１８    金型搬送固定装置
１９    付勢部材
２０    操作把手
２１    付勢部材装着部
２２    貫通開口部
２３    長手方向位置決め部
２４    金型装着部
２５    トレイ
２６    把手
２７    下部開口部
２８    金型係止部
２９    切欠部
３０    底板
３１    長手方向位置決め部
３２    駆動部搭載台
３３    挿通孔
３４    外面清掃部材
３５    ブラシ
３６    載置台
３７    貫通孔清掃部材
３８    基板
３９    差込みピン
【図１】
2008302632.tif 000003
【図２】
2008302632.tif 000004
【図３】
2008302632.tif 000005
【図４】
2008302632.tif 000006
【図５】
2008302632.tif 000007